(57)【要約】【課題】宛先入力時のユーザの使い勝手を向上することができるネットワークファクシミリ装置を提供すること目的とする。【解決手段】ユーザがネットワークファクシミリ通信機能をよく利用する場合には、送信開始時にネットワーク宛先情報の入力画面を表示させることができ、また、ユーザがファクシミリ通信機能をよく利用する場合には、送信開始時にファクシミリ宛先情報の入力画面を表示させることができ、ユーザが所望する入力画面を優先的に表示させることができるので、操作入力時の手間を大幅に軽減することができる。【選択図】        図１
2005252744.tif 000002
【特許請求の範囲】
【請求項１】
公衆網へ接続し、ファクシミリ通信機能を適用して画情報をやりとりする機能と、ネットワークへ接続し、ネットワークファクシミリ通信機能を適用して画情報をやりとりする機能を備えたネットワークファクシミリ装置において、
ユーザの送信開始時、上記ファクシミリ通信機能のファクシミリ宛先情報または上記ネットワークファクシミリ通信機能のネットワーク宛先情報のいずれか一方を優先的に操作入力する画面を表示するようにしたことを特徴とするネットワークファクシミリ装置。
【請求項２】
公衆網へ接続し、ファクシミリ通信機能を適用して画情報をやりとりする機能と、ネットワークへ接続し、ネットワークファクシミリ通信機能を適用して画情報をやりとりする機能を備えたネットワークファクシミリ装置において、
１つのキー操作で宛先を選択可能にするワンタッチキー機能を備え、
ユーザが上記ネットワークファクシミリ通信機能のネットワーク宛先情報を操作入力するとき、上記ワンタッチキー機能で用いられる入力キー群のキー入力情報の割当を、上記ネットワーク宛先情報を直接入力する場合に適用する英記号入力モード、あるいは、上記ワンタッチキー機能の入力モードにするかを、設定できるようにしたことを特徴とするネットワークファクシミリ装置。
【請求項３】
ユーザの送信開始時における前記入力キー群のキー入力情報の割当を、前記英記号入力モードあるいは前記ワンタッチキー機能の入力モードのいずれか一方に優先的に設定することを特徴とする請求項２記載のネットワークファクシミリ装置。
【請求項４】
前記ネットワークファクシミリ通信機能は、ＩＴＵ−Ｔ勧告Ｔ．３７に準拠したネットワークファクシミリ通信機能であり、前記ネットワーク宛先情報は、メールアドレス情報であることを特徴とする請求項１または請求項２または請求項３記載のネットワークファクシミリ装置。
【請求項５】
前記ネットワークファクシミリ通信機能は、ＩＴＵ−Ｔ勧告Ｔ．３８に準拠したネットワークファクシミリ通信機能であり、前記ネットワーク宛先情報は、ＩＰアドレスまたはエイリアスであることを特徴とする請求項１または請求項２または請求項３記載のネットワークファクシミリ装置。
【発明の詳細な説明】
【技術分野】
【０００１】
本発明は、公衆網へ接続し、ファクシミリ通信機能を適用して画情報をやりとりする機能と、ネットワークへ接続し、ネットワークファクシミリ通信機能を適用して画情報をやりとりする機能を備えたネットワークファクシミリ装置に関する。
【背景技術】
【０００２】
従来、公衆網へ接続し、ファクシミリ通信機能を適用して画情報をやりとりする機能と、ネットワークへ接続し、ネットワークファクシミリ通信機能を適用して画情報をやりとりする機能を備えたネットワークファクシミリ装置が実用されている（例えば、特許文献１を参照）。
【０００３】
ここで、公衆網は、アナログ公衆電話網ＰＳＴＮおよびデジタル公衆電話網ＩＳＤＮを含み、ファクシミリ通信機能は、グループ３ファクシミリ通信機能またはグループ４ファクシミリ通信機能を含む。
【０００４】
また、ネットワークファクシミリ通信機能としては、電子メールを用いて画情報を通信するＩＴＵ−Ｔ勧告Ｔ．３７に準拠したＴ．３７通信機能と、インターネット等のＩＰ網を介して相手端末と直接セッションを張り、リアルタイム的に画情報を通信するＩＴＵ−Ｔ勧告Ｔ．３８に準拠したＴ．３８通信機能がある。
【特許文献１】特開２００１−２５１４６６号
【発明の開示】
【発明が解決しようとする課題】
【０００５】
しかしながら、このようなネットワークファクシミリ装置では、ユーザが送信を開始しようとするときに装置に表示される画面が固定されていて、ユーザが変更することができず、非常に不便であった。
【０００６】
例えば、送信開始時の画面に、グループ３ファクシミリ通信機能の宛先情報であるファクシミリ番号（電話番号）を入力するＧ３宛先入力画面が表示される場合、ユーザがネットワークファクシミリ通信機能を利用するためには、入力画面をメールアドレスの入力画面に切換える必要があり、その都度、手間がかかるという不便があった。
【０００７】
本発明は、かかる実情に鑑みてなされたものであり、宛先入力時のユーザの使い勝手を向上することができるネットワークファクシミリ装置を提供すること目的とする。
【課題を解決するための手段】
【０００８】
本発明は、公衆網へ接続し、ファクシミリ通信機能を適用して画情報をやりとりする機能と、ネットワークへ接続し、ネットワークファクシミリ通信機能を適用して画情報をやりとりする機能を備えたネットワークファクシミリ装置において、ユーザの送信開始時、上記ファクシミリ通信機能のファクシミリ宛先情報または上記ネットワークファクシミリ通信機能のネットワーク宛先情報のいずれか一方を優先的に操作入力する画面を表示するようにしたものである。
【０００９】
また、公衆網へ接続し、ファクシミリ通信機能を適用して画情報をやりとりする機能と、ネットワークへ接続し、ネットワークファクシミリ通信機能を適用して画情報をやりとりする機能を備えたネットワークファクシミリ装置において、１つのキー操作で宛先を選択可能にするワンタッチキー機能を備え、ユーザが上記ネットワークファクシミリ通信機能のネットワーク宛先情報を操作入力するとき、上記ワンタッチキー機能で用いられる入力キー群のキー入力情報の割当を、上記ネットワーク宛先情報を直接入力する場合に適用する英記号入力モード、あるいは、上記ワンタッチキー機能の入力モードにするかを、設定できるようにしたものである。
【００１０】
また、ユーザの送信開始時における前記入力キー群のキー入力情報の割当を、前記英記号入力モードあるいは前記ワンタッチキー機能の入力モードのいずれか一方に優先的に設定するようにしたものである。
【００１１】
また、前記ネットワークファクシミリ通信機能は、ＩＴＵ−Ｔ勧告Ｔ．３７に準拠したネットワークファクシミリ通信機能であり、前記ネットワーク宛先情報は、メールアドレス情報である。
【００１２】
また、前記ネットワークファクシミリ通信機能は、ＩＴＵ−Ｔ勧告Ｔ．３８に準拠したネットワークファクシミリ通信機能であり、前記ネットワーク宛先情報は、ＩＰアドレスまたはエイリアスである。
【発明の効果】
【００１３】
したがって、本発明によれば、ユーザがネットワークファクシミリ通信機能をよく利用する場合には、送信開始時にネットワーク宛先情報の入力画面を表示させることができ、また、ユーザがファクシミリ通信機能をよく利用する場合には、送信開始時にファクシミリ宛先情報の入力画面を表示させることができ、ユーザが所望する入力画面を優先的に表示させることができるので、操作入力時の手間を大幅に軽減することができる。
【発明を実施するための最良の形態】
【００１４】
以下、添付図面を参照しながら、本発明の実施の形態を詳細に説明する。
【００１５】
図１は、本発明の一実施例にかかるネットワークシステムを示している。
【００１６】
同図において、ローカルエリアネットワークＬＡＮには、複数のワークステーション装置ＷＳ１〜ＷＳｎ、メールサーバ装置ＳＭ、および、ネットワークファクシミリ装置ＦＸが接続されているとともに、ルータ装置ＲＴを介してインターネットへ接続されている。したがって、ワークステーション装置ＷＳ１〜ＷＳｎ、メールサーバ装置ＳＭ、および、ネットワークファクシミリ装置ＦＸは、インターネットを介し、他の適宜な端末装置との間でデータをやりとりすることができる。
【００１７】
ここで、メールサーバ装置ＳＭは、ローカルエリアネットワークＬＡＮに接続されているワークステーション装置ＷＳ１〜ＷＳｎを利用するユーザ、および、ネットワークネットワークファクシミリ装置ＦＸに対して、周知の電子メールの収集および配布のサービスを提供するものである。
【００１８】
また、ローカルエリアネットワークＬＡＮは、ルータ装置ＲＴを介して、インターネットへと接続され、それにより、ワークステーション装置ＷＳ１〜ＷＳｎ、メールサーバ装置ＳＭ、および、ネットワークファクシミリ装置ＦＸは、他のローカルエリアネットワーク等に接続されているホスト装置等との間で種々のデータのやりとりが可能である。
【００１９】
また、ワークステーション装置ＷＳ１〜ＷＳｎには、ファクシミリ画情報を作成および表示出力するファクシミリアプリケーションソフトウェア、および、ローカルエリアネットワークＬＡＮを介して種々のデータのやりとりを行うための種々のソフトウェアなどの種々のプログラムが導入されており、特定のユーザにより使用されるものである。ここで、特定のユーザは、一人または複数人のユーザであってよい。
【００２０】
また、ネットワークファクシミリ装置ＦＸは、画情報や各種レポートなどを電子メールとしてやりとりするための電子メール処理機能、および、アナログ公衆回線網ＰＳＴＮに接続し、この公衆網を伝送路として用いてグループ３ファクシミリ伝送手順による画情報伝送を行うグループ３ファクシミリ通信機能を備えている。
【００２１】
図２は、ネットワークファクシミリ装置ＦＸの構成例を示している。
【００２２】
同図において、システム制御部１は、このネットワークファクシミリ装置ＦＸの各部の制御処理、および、ファクシミリ伝送制御手順処理などの各種制御処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このネットワークファクシミリ装置ＦＸに固有な各種の情報を記憶するためのものであり、時計回路４は、現在時刻情報を出力するものである。
【００２３】
スキャナ５は、所定の解像度で原稿画像を読み取るためのものであり、プロッタ６は、所定の解像度で画像を記録出力するためのものであり、操作表示部７は、このネットワークファクシミリ装置ＦＸを操作するためのもので、各種の操作キー、および、各種の表示器からなる。
【００２４】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００２５】
グループ３ファクシミリモデム１０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００２６】
網制御装置１１は、このネットワークファクシミリ装置ＦＸをアナログ公衆回線網ＰＳＴＮに接続するためのものであり、自動発着信機能を備えている。
【００２７】
ローカルエリアネットワークインターフェース回路１２は、このネットワークファクシミリ装置ＦＸをローカルエリアネットワークＬＡＮに接続するためのものであり、ローカルエリアネットワーク伝送制御部１３は、ローカルエリアネットワークＬＡＮを介して、他のデータ端末装置との間で種々のデータをやりとりするための各種所定のプロトコルスイートの通信制御処理を実行するためのものである。
【００２８】
これらの、システム制御部１、システムメモリ２、パラメータメモリ３、時計回路４、スキャナ５、プロッタ６、操作表示部７、符号化復号化部８、画像蓄積装置９、グループ３ファクシミリモデム１０、網制御装置１１、および、ローカルエリアネットワーク伝送制御部１３は、内部バス１４に接続されており、これらの各要素間でのデータのやりとりは、主としてこの内部バス１４を介して行われている。
【００２９】
また、網制御装置１１とグループ３ファクシミリモデム１０との間のデータのやりとりは、直接行なわれている。
【００３０】
ここで、本実施例において、基本的には、ローカルエリアネットワークＬＡＮに接続されている端末相互間でのデータのやりとりは、いわゆるＴＣＰ／ＩＰと呼ばれるトランスポートレイヤまでの伝送プロトコルと、それ以上の上位レイヤの通信プロトコルとの組み合わせ（いわゆるプロトコルスイート）が適用して行われる。例えば、電子メールのデータのやりとりでは上位レイヤの通信プロトコルとしてＳＭＴＰ（Ｓｉｍｐｌｅ  Ｍａｉｌ  Ｔｒａｎｓｆｅｒ  Ｐｒｏｔｏｃｏｌ）という通信プロトコルが適用される。
【００３１】
また、各端末がメールサーバ装置ＳＭに対して、ユーザ宛の電子メールの受信確認や取得要求などのために適用するプロトコルとしては、いわゆるＰＯＰ（Ｐｏｓｔ  Ｏｆｆｉｃｅ  Ｐｒｏｔｏｃｏｌ）などを適用することができる。
【００３２】
また、ＴＣＰ／ＩＰ，ＳＭＴＰ，ＰＯＰなどの通信プロトコル、および、電子メールのデータ形式やデータ構造などについては、それぞれＩＥＴＦから発行されているＲＦＣ文書により規定されている。例えば、ＴＣＰはＲＦＣ７９３、ＩＰはＲＦＣ７９３、ＳＭＴＰはＲＦＣ８２１、電子メールの形式は、ＲＦＣ８２２，ＲＦＣ１５２１，ＲＦＣ１５２２（ＭＩＭＥ（Ｍｕｌｔｉ  Ｐｕｒｐｏｓｅ  Ｍａｉｌ  Ｅｘｔｅｎｓｉｏｎ）形式）などでそれぞれ規定されている。
【００３３】
図３は、操作表示部７の構成の一例を示している。
【００３４】
同図において、スタートキー７ａは、このネットワークファクシミリ装置ＦＸａの送受信動作等の開始を指令入力するためのものであり、ストップキー７ｂは、このネットワークファクシミリ装置ＦＸａの動作の停止を指令入力するためのものであり、テンキー７ｃは、電話番号などの数字（数値）情報を入力するためのものである。
【００３５】
短縮ダイアルキー７ｄは、短縮ダイアルの入力を指令するためのものであり、ポーズ／リダイアルキー７ｅは、ポーズ（無音コード）または再発呼を指令するためのものであり、クリアキー７ｆは、テンキー７ｃで入力した数値を１桁消去するためのものである。
【００３６】
ワンタッチキー７ｇは、１つのキー操作で宛先番号または宛先メールアドレスなどを操作入力するワンタッチキー機能の入力キー群として用いられるとともに、宛先メールアドレスまたはそのエイリアスを直接入力するための英記号入力キー群として用いられる。
【００３７】
初期設定／登録キー７ｈは、ネットワークファクシミリ装置ＦＸａの初期設定や管理者用設定の登録を指令するためのものであり、この初期設定／登録キー７ｈが有効操作されている旨をあらわすための発光ダイオードＬＬが付設されている。
【００３８】
汎用キークラスタ７ｉは、８つの汎用キーＵＫ１〜ＵＫ８が配設されており、それぞれの汎用キーＵＫ１〜ＵＫ８には、当該汎用キーＵＫ１〜ＵＫ８が操作されている旨をあらわすための発光ダイオードＬ１〜Ｌ８が付設されている。
【００３９】
液晶表示装置７ｊは、このネットワークファクシミリ装置ＦＸａの操作ガイダンスの表示や、入力情報のフィードバック表示などの種々のメッセージを表示するためのものであり、その下方には、４つのダイアログ操作キー７ｋが設けられている。このダイアログ操作キー７Ｋは、液晶表示装置７ｊに表示されているダイアログにユーザが応答操作を行うためのものである。また、カーソルキー７ｌは、液晶表示装置７ｊに表示されている画面の項目の選択を移動する際などに使用されるものである。
【００４０】
また、この操作表示部７には、ユーザに対して警告音等を通知するためのブザー（図示略）も設けられている。
【００４１】
また、ワンタッチキー機能を利用する際の登録情報として、図４（ａ）に示すようなワンタッチキー登録テーブルを備えている。このワンタッチキー登録テーブルは、複数のワンタッチキー登録情報をまとめたものであり、それぞれのワンタッチキー登録情報は、同図（ｂ）に示すように、おのおののワンタッチキーを識別するためのワンタッチキー番号、登録された宛先の名称をあらわす宛先名称、当該宛先を適用する際の通信種別をあらわす宛先種別（Ｇ３宛先またはメール宛先）、および、当該宛先の宛先情報（ファクシミリ番号またはメールアドレス（あるいは、そのエイリアス（（登録された）別名）））からなる。
【００４２】
また、本実施例では、ユーザの送信操作開始時に、Ｇ３宛先情報（ファクシミリ番号）を入力するＧ３宛先入力画面、あるいは、メールアドレスまたはそのエイリアスを入力するためのメール宛先入力画面のいずれかを優先的に表示するようにしており、その優先的に表示する入力画面は、同図（ｃ）に示すようなデフォルト画面設定情報に登録されている。このデフォルト画面設定情報の内容は、ユーザが適宜に設定入力することができる。
【００４３】
ここで、Ｇ３宛先入力画面およびメール宛先入力画面の一例を図５（ａ），（ｂ）に示す。通常、Ｇ３宛先入力画面では、テンキー７ｃ等を用いてファクシミリ番号が入力される。また、メール宛先入力画面では、ワンタッチキー７ｇのキー群等が用いられてメールアドレスまたはそのエイリアスが入力される。
【００４４】
また、このＧ３宛先入力画面とメール宛先入力画面の切換えは、ユーザが適宜に行うことができる。例えば、汎用キーＵＫ１〜ＵＫ８のいずれかに設定された通信モードの切換キーが操作されると、その都度、Ｇ３宛先入力画面からメール宛先入力画面へ、あるいは、メール宛先入力画面からＧ３宛先入力画面へと切り替わる。
【００４５】
図６は、ユーザが送信操作を開始すると実行される処理の一例を示している。
【００４６】
例えば、ユーザが送信原稿をスキャナ５にセットし、スキャナ５が送信原稿の載置を検出すると、ユーザの送信操作が開始されると判断し、まず、デフォルト画面設定情報を読み込み（処理１０１）、そのデフォルト画面設定情報に「Ｇ３宛先入力画面」が登録されているかどうかを調べる（判断１０２）。
【００４７】
判断１０２の結果がＹＥＳになるときには、上述したようなＧ３宛先入力画面を表示し（処理１０３）、いずれかのキー入力がされることを待つ（判断１０４のＮＯループ）。いずれかのキーが操作入力されて、判断１０４の結果がＹＥＳになると、その操作入力されたキーが、通信モードの切換キーであるかどうかを調べる（判断１０５）。
【００４８】
判断１０５の結果がＮＯになるときには、所定のＧ３宛先入力処理を行って、宛先のファクシミリ番号を取得する（処理１０６）。
【００４９】
次いで、ユーザがスタートキー７ａを押し下げて、送信動作の開始を指令するまで待つ（判断１０７のＮＯループ）。ユーザがスタートキー７ａを押し下げて、判断１０７の結果がＹＥＳになると、スキャナ５にセットされている送信原稿の画像を読み取り（処理１０８）、読み取って得た画像データを符号化復号化部８で符号化圧縮し、それによって得た画情報を画像蓄積装置９に蓄積する（処理１０９）。
【００５０】
そして、処理１０６で取得した宛先へ発呼し、所定のグループ３ファクシミリ送信手順を実行し、処理１０９で蓄積した画情報を送信する（処理１１０）。
【００５１】
一方、デフォルト画面設定情報に「メール宛先入力画面」が登録されている場合、あるいは、判断１０５の結果がＹＥＳになるときには、上述したようなメール宛先入力画面を表示し（処理１１１）、いずれかのキー入力がされることを待つ（判断１１２のＮＯループ）。
【００５２】
いずれかのキーが操作入力されて、判断１１２の結果がＹＥＳになると、その操作入力されたキーが、通信モードの切換キーであるかどうかを調べる（判断１１３）。ここで、判断１１３の結果がＹＥＳになるときには、処理１０３へ進み、それ以降の処理を実行する。
【００５３】
また、判断１１３の結果がＮＯになるときには、所定のメール宛先入力処理を行って、宛先のメールアドレスまたはエイリアスを取得する（処理１１４）。
【００５４】
次いで、ユーザがスタートキー７ａを押し下げて、送信動作の開始を指令するまで待つ（判断１１５のＮＯループ）。ユーザがスタートキー７ａを押し下げて、判断１１５の結果がＹＥＳになると、スキャナ５にセットされている送信原稿の画像を読み取り（処理１１６）、読み取って得た画像データを符号化復号化部８で符号化圧縮し、それによって得た画情報を画像蓄積装置９に蓄積する（処理１１７）。
【００５５】
そして、処理１１４で取得した宛先メールアドレスへ、電子メールを用いて処理１１７で蓄積した画情報を送信する（処理１１８）。
【００５６】
このようにして、本実施例では、ユーザが送信操作を開始すると、ユーザが設定した宛先入力画面が表示されるので、ユーザの使い勝手が大幅に向上する。例えば、ネットワークファクシミリ通信機能をよく利用するユーザは、送信開始時にメール宛先入力画面を見ることができ、メールアドレスまたはそのエイリアスの入力を行うことができるので、入力画面を切換える操作が不要となり、非常に便利である。
【００５７】
ところで、メール宛先入力画面で、メールアドレスまたはそのエイリアスを入力する際、ユーザは、テンキー７ｃおよびワンタッチキー７ｇを利用する。このとき、ワンタッチキー７ｇの入力モードを、ワンタッチキー７ｇに登録された宛先情報を用いるワンタッチキー入力モードとするか、あるいは、ワンタッチキー７ｇのそれぞれのキーに設定された（操作入力部７に印刷表記されている）英文字または記号を入力する英記号入力モードとするかは、ユーザが、例えば、スクロールキー７ｌを操作することにより切換えることができる。
【００５８】
例えば、ワンタッチキー７ｇの入力モードがワンタッチキー入力モードになっている場合には、図７（ａ）に示すように、メール宛先入力画面の一部に「ワンタッチキー＝ワンタッチキー入力モード」とモード表示され、ワンタッチキー７ｇの入力モードが英記号入力モードになっている場合には、同図（ｂ）に示すように、メール宛先入力画面の一部に「ワンタッチキー＝英記号入力モード」とモード表示され、ユーザが入力モードを確認できるようにしている。
【００５９】
そこで、メール宛先入力画面の初期画面において、ワンタッチキー７ｇの入力モードをワンタッチキー入力モードとするか、あるいは、英記号入力モードとするかを規定するためのワンタッチキー初期割当情報（図４（ｄ）参照）を設定しておき、ユーザが所望する入力モードをデフォルトモードとして設定できるようにすることで、メール宛先入力画面の使い勝手を向上できるようにする。
【００６０】
なお、このワンタッチキー初期割当情報の内容は、ユーザが適宜に設定できるようにしておく。
【００６１】
図８および図９は、この場合に、ユーザが送信操作を開始すると実行される処理の一例を示している。
【００６２】
例えば、ユーザが送信原稿をスキャナ５にセットし、スキャナ５が送信原稿の載置を検出すると、ユーザの送信操作が開始されると判断し、まず、デフォルト画面設定情報を読み込み（処理２０１）、そのデフォルト画面設定情報に「Ｇ３宛先入力画面」が登録されているかどうかを調べる（判断２０２）。
【００６３】
判断２０２の結果がＹＥＳになるときには、上述したようなＧ３宛先入力画面を表示し（処理２０３）、いずれかのキー入力がされることを待つ（判断２０４のＮＯループ）。いずれかのキーが操作入力されて、判断２０４の結果がＹＥＳになると、その操作入力されたキーが、通信モードの切換キーであるかどうかを調べる（判断２０５）。
【００６４】
判断２０５の結果がＮＯになるときには、所定のＧ３宛先入力処理を行って、宛先のファクシミリ番号を取得する（処理２０６）。
【００６５】
次いで、ユーザがスタートキー７ａを押し下げて、送信動作の開始を指令するまで待つ（判断２０７のＮＯループ）。ユーザがスタートキー７ａを押し下げて、判断２０７の結果がＹＥＳになると、スキャナ５にセットされている送信原稿の画像を読み取り（処理２０８）、読み取って得た画像データを符号化復号化部８で符号化圧縮し、それによって得た画情報を画像蓄積装置９に蓄積する（処理２０９）。
【００６６】
そして、処理２０６で取得した宛先へ発呼し、所定のグループ３ファクシミリ送信手順を実行し、処理２０９で蓄積した画情報を送信する（処理２１０）。
【００６７】
一方、デフォルト画面設定情報に「メール宛先入力画面」が登録されている場合、あるいは、判断２０５の結果がＹＥＳになるときには、上述したようなメール宛先入力画面を表示し（処理２１１）、いずれかのキー入力がされることを待つ（判断２１２のＮＯループ）。
【００６８】
いずれかのキーが操作入力されて、判断２１２の結果がＹＥＳになると、その操作入力されたキーが、通信モードの切換キーであるかどうかを調べる（判断２１３）。ここで、判断２１３の結果がＹＥＳになるときには、処理２０３へ進み、それ以降の処理を実行する。
【００６９】
また、判断２１３の結果がＮＯになるときには、ワンタッチキー初期割当情報を読み込み（処理２１４）、そのワンタッチキー初期割当情報の内容に「ワンタッチキーモード」が設定されているかどうかを調べる（判断２１５）。
【００７０】
判断２１５の結果がＹＥＳになるときには、ワンタッチキー７ｇの入力モードとしてワンタッチキーモードを設定する（処理２１６）。そして、いずれかのキー入力がされることを待つ（判断２１７のＮＯループ）。
【００７１】
いずれかのキーが操作入力されて、判断２１７の結果がＹＥＳになると、その操作入力されたキーが、カーソルキー７ｌであるかどうかを調べる（判断２１８）。
【００７２】
また、判断２１８の結果がＮＯになるときには、ワンタッチキー７ｇの入力モードをワンタッチキー入力モードに設定した状態で所定のメール宛先入力処理を行って、宛先のメールアドレスまたはエイリアスを取得する（処理２１９）。
【００７３】
次いで、ユーザがスタートキー７ａを押し下げて、送信動作の開始を指令するまで待つ（判断２２０のＮＯループ）。ユーザがスタートキー７ａを押し下げて、判断２２０の結果がＹＥＳになると、スキャナ５にセットされている送信原稿の画像を読み取り（処理２２１）、読み取って得た画像データを符号化復号化部８で符号化圧縮し、それによって得た画情報を画像蓄積装置９に蓄積する（処理２２２）。
【００７４】
そして、処理２１９で取得した宛先メールアドレスへ、電子メールを用いて処理２２２で蓄積した画情報を送信する（処理２２３）。
【００７５】
また、ワンタッチキー初期割当情報の内容に「英記号入力モード」が設定されている場合で、判断２１５の結果がＮＯになる場合、および、判断２１８の結果がＹＥＳになるときには、ワンタッチキー７ｇの入力モードとして英記号入力モードを設定する（処理２２４）。そして、いずれかのキー入力がされることを待つ（判断２２５のＮＯループ）。
【００７６】
いずれかのキーが操作入力されて、判断２２５の結果がＹＥＳになると、その操作入力されたキーが、カーソルキー７ｌであるかどうかを調べる（判断２２６）。そして、判断２２６の結果がＹＥＳになるときには、処理２１６へ進み、それ以降の処理を実行する。
【００７７】
また、判断２２６の結果がＮＯになるときには、ワンタッチキー７ｇの入力モードをワンタッチキー入力モードに設定した状態で、処理２１９へ進み、所定のメール宛先入力処理を行って、宛先のメールアドレスまたはエイリアスを取得し、それ以降の処理を実行する。
【００７８】
なお、上述した実施例では、ネットワークファクシミリ通信機能として、ＩＴＵ−Ｔ勧告Ｔ．３７に準拠した通信機能を用いた場合について説明したが、本発明は、勧告Ｔ．３８に準拠した通信機能を用いた場合についても同様にして適用することができる。
【図面の簡単な説明】
【００７９】
【図１】本発明の一実施例にかかるネットワークシステムを示したブロック図。
【図２】ネットワークファクシミリ装置ＦＸの構成例を示したブロック図。
【図３】操作表示部７の構成の一例を示した概略図。
【図４】ワンタッチキー登録テーブル、ワンタッチキー登録情報、デフォルト画面設定情報、および、ワンタッチキー初期割当情報の一例を示した概略図。
【図５】Ｇ３宛先入力画面およびメール宛先入力画面の一例を示した概略図。
【図６】ユーザが送信操作を開始すると実行される処理の一例を示したフローチャート。
【図７】メール宛先入力画面の他の例を示した概略図。
【図８】ユーザが送信操作を開始すると実行される処理の他の例を示したフローチャート。
【図９】ユーザが送信操作を開始すると実行される処理の他の例を示したフローチャート（図８の続き）。
【符号の説明】
【００８０】
ＦＸ  ネットワークファクシミリ装置
７  操作表示部
７ｇ  ワンタッチキー
７ｌ  カーソルキー
【図１】
2005252744.tif 000003
【図２】
2005252744.tif 000004
【図３】
2005252744.tif 000005
【図４】
2005252744.tif 000006
【図５】
2005252744.tif 000007
【図６】
2005252744.tif 000008
【図７】
2005252744.tif 000009
【図８】
2005252744.tif 000010
【図９】
2005252744.tif 000011